(57)【要約】【課題】補強部材の位置や方向、分布や支持強度を使用者の体格や必要部位、症状に合わせて自在に変更できる腰部保護ベルトを提供する。【解決手段】長手方向の中央部２１を非伸縮性シート材で構成し、且つ、該中央部２１の少なくとも一面は全面的に面ファスナの被係着面２１ａとしたベルト本体２と、棒状または板状の補強部材５，６を収容可能な袋部３ａ，４ａを備え、且つ、少なくとも一面には前記被係着面２１ａに着脱自在に係着可能な面ファスナの係着面３ｂ，４ｂを有する１または複数の小袋体３，４とからなる腰部保護ベルト１を構成した。【選択図】        図１
2004229781.tif 000002
【特許請求の範囲】
【請求項１】
長手方向の中央部を非伸縮性シート材で構成し、且つ、該中央部の少なくとも一面は全面的に面ファスナの被係着面としたベルト本体と、棒状または板状の補強部材を収容可能な袋部を備え、且つ、少なくとも一面には前記被係着面に着脱自在に係着可能な面ファスナの係着面を有する１または複数の小袋体とからなることを特徴とする腰部保護ベルト。
【請求項２】
小袋体には、各１本ずつの補強部材を収容可能な複数の袋部が形成されている請求項１記載の腰部保護ベルト。
【請求項３】
ベルト本体中央部には、小袋体を係着した被係着面を被覆するカバーを備えた請求項１または２記載の腰部保護ベルト。
【発明の詳細な説明】
【０００１】
【発明の属する技術分野】
本発明は、腰部を保護し、腰痛を緩和する目的で使用する腰部保護ベルトに関する。
【０００２】
【従来の技術】
腰部保護ベルトは一般に幅の広い強伸縮性の素材で構成され、腰部に巻き付けることで腰部を引き締め安定化し、腰椎への負担を軽減して痛みを緩和するものであるが、必要な支持力を得るために締め付けが強過ぎると血行が阻害され、却って症状を悪化させかねない。
【０００３】
そこで、腰に当たる部分にステーと呼ばれる補強部材を取り付けることでベルトの締め過ぎを回避しつつ支持能力を高めることが行われている（例えば特許文献１，２参照）。ステーには金属やプラスチック等が用いられ、適度の弾力性を有するものであるため、身体に沿って弾性変化できるが、体格によって胴囲が異なることは勿論、支持が必要な部位も異なる。また、症状の程度、回復の度合に応じて快適に感じる支持力も変化するが、従来のベルトはステーがベルト本体に固定されているため、位置の変更、支持力の変更は不可能で、特定の部位に当たったり、身体の動きに適応できなかったりする問題が有った。
【０００４】
【特許文献１】
特開２００２−２３８９３２号（第２頁  図２）
【特許文献２】
特開平１０−１４９５９号（第２頁  図１）
【０００５】
【発明が解決しようとする課題】
本発明は従来の腰部保護ベルトの上記の点に鑑みて、補強部材の位置や方向、分布や支持強度を使用者の体格や必要部位、症状に合わせて自在に変更できる腰部保護ベルトを提供することを目的としてなされたものである。
【０００６】
【課題を解決するための手段】
上記目的を達成するために、本発明の腰部保護ベルトは、長手方向の中央部を非伸縮性シート材で構成し、且つ、該中央部の少なくとも一面は全面的に面ファスナの被係着面としたベルト本体と、棒状または板状の補強部材を収容可能な袋部を備え、且つ、少なくとも一面には前記被係着面に着脱自在に係着可能な面ファスナの係着面を有する１または複数の小袋体とからなるものとした。また、上記小袋体には、各１本ずつの補強部材を収容可能な複数の袋部が形成されていることが好適である。更に、ベルト本体中央部には、小袋体を係着した被係着面を被覆するカバーを備えることが好適である。
【０００７】
【発明の実施の形態】
図１は、本発明実施形態の腰部保護ベルト１を示すものである。図において、腰部保護ベルト１は、ベルト本体２と、長２個、短２個の径４個からなる小袋３，３、４，４、及び、該各小袋３，３、４，４に収容された複数のステー５，６（補強部材）から構成されている。
【０００８】
ベルト本体２は、長手方向の中央部２１と、両端部２２，２３とが非伸縮性のシート材で構成され、該シート材は少なくとも一面が全面的に面ファスナの被係着面２１ａ，２２ａ，２３ａをなし、且つ、厚さ方向への通気性を確保すべく多数の通気孔２４を有している。また、一端部２２には、他端部２３の被係着面２３ａに係着可能な面ファスナの係着面２２ｂを設けている。
【０００９】
そして、中央部２１と両端部２２，２３との中間部２５，２６はベルト長手方向への伸縮性を有するネット状布帛で構成され、且つ、上記中間部２５，２６を含むベルト本体２の周縁部２７は、伸縮性のテープ状布帛で被覆されている。尚、周縁部２７の縫合縁は図示例では破線で表されているが、中間部２５，２６の伸縮性を阻害しないようにジグザグ縫いにより縫合されている。
【００１０】
また、ベルト本体２の中央部２１の被係着面２１ａの表面には、中央部２１と略同形状のカバー２８が設けてあり、該カバー２８は下方向に湾出した中央部２１の下側周縁部２７においてベルト本体中央部２１に縫合される一方、カバー２８の両側縁と、ベルト本体中央部２１の両側縁とに、夫々、面ファスナの係着面２８ａ及び被係着面２１ｂを設け、これによりカバー２８はほぼ全面的に開閉自在になっている。
【００１１】
小袋体３，４には、各３本ずつのステー５，６を収容できるように３つの袋部３ａ，４ａが形成され、且つ、該袋部３ａ，４ａの一側（図示例では上側）は開放され、ステー５，６を自在に出し入れできる。そして、各袋体３，４の一面（図示例では裏面）には、ベルト本体中央部２１の被係着面２１ａに係着可能な面ファスナの係着面３ｂ，４ｂを設けてある。
【００１２】
以上のように構成された腰部保護ベルト１は、図１に示されるように、各３本ずつのステー５，６を収容した４つの小袋体３，４の係着面３ｂ，４ｂをベルト本体中央部２１の被係着面２１ａに係着することにより固定し、更に、その上をカバー２８で被覆した状態で、該カバー２８側を身体側にして人体腰部に巻付け、一端部２２の係着面２２ｂを他端部２３の被係着面２３ａに係着することにより身体に装着される。
【００１３】
すると幅の広いベルト本体２により腰部が保護され、且つ、図示例では長短計１２本のステー５，６により支持されることにより腰部が安定し、腰部への負担が軽減され、腰痛の症状が緩和される。
【００１４】
そして、通常、長い方のステー５を収容した小袋体３は、図１のように２個を腰椎の両側に配置し、背筋を刺激しながら腰椎を両側から支持するか、または、図４に示すように１個の小袋体３を中央に配置して腰椎を直接支持する。このような支持形態の変更、小袋体３，４の移動や数の増減も、小袋体３，４が面ファスナ（３ｂ，４ｂ−２１ａ）で着脱自在に固定されているため容易に行える。また、図５に示すように小袋体３，４を斜に配置することもできる。
【００１５】
更に、ステー５，６による支持が強過ぎると感じる場合には、図６に示すように、一つの小袋体５，６に２本（或いは１本）のステー５，６のみを収容すれば、ステー５，６の配置が疎になり、より柔軟な支持力が得られる。
【００１６】
そして、上記のように複数本（３本）のステー５，６を一組として一つの小袋体３，４に並べて収容する構成により、各小袋体３，４が平面的な形状となるのでベルト本体中央部２１に安定的に固定される利点も有る。
【００１７】
尚、上記各実施形態では、各小袋体３，４に３つずつの袋部３ａ，４ａを形成する場合を示したが、１つの小袋体３，４に形成する袋部３ａ，４ａの数はそれ以外でも良い。また、上記実施形態では、カバー２８の両側縁が面ファスナ（２７ａ−２１ｂ）で固定される場合を示したが、ベルト本体２に縫着等で恒久的に固定されていても良い。これらの場合、カバー２８はポケット状となるので、その内側の他の物品、例えば、カイロ等を収容することもできる。また、カバー２８は、上縁のみ、或いは両側縁のみを縫着等で固定する場合、ベルト本体２への縫合部なしに面ファスナのみにより取り外し可能に固定される場合もあり、更に、カバー２８を省略することもできる。また、面ファスナの係着面３ｂ，４ｂ，２２ｂ，２８ａ及び被係着面２１ａ，２１ｂ，２２ａ，２３ａは、対応関係のみを示すもので、面ファスナ表面に形成されている係止部材の形状を意味するものではなく、従って、相互に反対でも良い。
【００１８】
【発明の効果】
本発明の腰部保護ベルトは、以上詳述した通り、長手方向の中央部を非伸縮性シート材で構成し、且つ、該中央部の少なくとも一面は全面的に面ファスナの被係着面としたベルト本体と、棒状または板状の補強部材を収容可能な袋部を備え、且つ、少なくとも一面には前記被係着面に着脱自在に係着可能な面ファスナの係着面を有する１または複数の小袋体とからなるので、補強部材の位置や方向、分布や支持強度を使用者の体格や必要部位、症状に合わせて自在に変更できる。
【００１９】
また、上記小袋体には、各１本ずつの補強部材を収容可能な複数の袋部が形成されているので、棒状の補強部材を用いても小袋体が平面的な形状となり、ベルト本体中央部に確実且つ安定的に固定できると共に、収容する補強部材の数を増減することで支持強度を調節できる。
【００２０】
更に、ベルト本体中央部には、小袋体を係着した被係着面を被覆するカバーを備えたので、ベルト本体中央部に複数の小袋体を設け、且つ、その配置を変更してもベルトの表面がカバーにより平坦に被覆されるための、使用感が良好であると共に、カバー内部にカイロ等他の物品を収容することもできる。
【図面の簡単な説明】
【図１】本発明実施形態の腰部保護ベルトのカバーを一部開いた状態を示す平面図である。
【図２】図１のＹ−Ｙ断面図である。
【図３】図１のＸ−Ｘ断面図である。
【図４】本発明実施形態の腰部保護ベルトの小袋体の配置と数を変更した状態を示す要部平面図である。
【図５】本発明実施形態の腰部保護ベルトの小袋体の配置を斜に変更した状態を示す要部平面図である。
【図６】本発明実施形態の腰部保護ベルトの小袋体に収容する補強部材の数が異なる場合を示す要部平面図である。
【符号の説明】
１  腰部保護ベルト
２  ベルト本体
３，４  小袋体
３ａ，４ａ  袋部
３ｂ，４ｂ，２２ｂ，２８ａ  係着面（面ファスナ）
５，６  ステー（補強部材）
２１  中央部
２１ａ，２１ｂ，２２ａ，２３ａ  被係着面（面ファスナ）
２２，２３  端部
２５，２６  中間部
２７  周縁部
２８  カバー
【図１】
2004229781.tif 000003
【図２】
2004229781.tif 000004
【図３】
2004229781.tif 000005
【図４】
2004229781.tif 000006
【図５】
2004229781.tif 000007
【図６】
2004229781.tif 000008